(57)【要約】【課題】簡単な構造で、キャリアプレートに固定されていない側のワイヤをガイドレールの側方に確実にガイドできるワイヤドラム式のウインドウレギュレータを提供する。【解決手段】ガイドレール３の上端側に配置されたワイヤ方向変換用のプーリ５と下端側近傍に配置されたワイヤ方向変換ガイド６との間に２本のワイヤ４ａ、４ｂが配置され、ガイドレール３の長手方向に移動自在に設けられたキャリアプレート１０が一方のワイヤ４ａに固定される。ガイドレール３の側方に支持板１４を突設し、支持板１４の先端部にガイドレール３の湾曲面の凸方向に沿う方向に開口するワイヤガイド溝１６を備えたワイヤガイド部材１５を設け、ワイヤガイド溝１６にワイヤ４ｂを挿入してガイドする。【選択図】図８
2011069059.tif 000002
【特許請求の範囲】
【請求項１】
長手方向に湾曲したガイドレールの上端側に軸支されたワイヤ方向変換用プーリと、
前記ガイドレールの下端側近傍に配置されたワイヤ方向変換部材と、
前記ワイヤ方向変換用プーリと前記ワイヤ方向変換部材との間に配置された２本のワイヤと、
前記２本のワイヤのうちの一方のワイヤに固定されると共に前記ガイドレールの長手方向に移動自在に設けられたキャリアプレートと、
前記２本のワイヤを前記ガイドレールに沿って牽引するワイヤ駆動装置とを有し、前記ワイヤ駆動装置による駆動に伴って前記キャリアプレートに支持されたウインドウガラスを昇降させるワイヤドラム式のウインドウレギュレータにおいて、
前記ガイドレールの側方に支持板を突設し、前記支持板の先端部に前記ガイドレールの湾曲面の凸方向に沿う方向に開口するワイヤガイド溝を備えたワイヤガイド部材を設けた、
ことを特徴とするワイヤドラム式のウインドウレギュレータ。
【請求項２】
前記ワイヤガイド部材は、下面の中央に設けられた係合突起と、前記下面の両側にそれぞれ設けられた回転止め用突起とを備え、
前記係合突起及び前記回転止め用突起のそれぞれは、前記支持板に設けられた係止孔及び受け孔に嵌合された、
、ことを特徴とする請求項１に記載のワイヤドラム式のウインドウレギュレータ。
【請求項３】
前記ガイドレールは、その底壁の一側に該底壁に対して所定の段差によって前方に張り出した凸壁が形成され、
前記ガイドレールの前記凸壁の裏面に前記支持板の基端部が固定され、前記ガイドレールの前記底壁の裏面と前記支持板の裏面とが面一とされた、
ことを特徴とする請求項１又は２に記載のワイヤドラム式のウインドウレギュレータ。
【請求項４】
前記ガイドレールの凸壁に対面して配置される前記キャリアプレートの下面一側に、前記凸壁に摺接する摺動突起が設けられた、
ことを特徴とする請求項３に記載のワイヤドラム式のウインドウレギュレータ。
【発明の詳細な説明】
【技術分野】
【０００１】
本発明は、車両用ウインドウガラスを昇降させるワイヤドラム式のウインドウレギュレータに関する。
【背景技術】
【０００２】
従来、一般的なワイヤドラム式のウインドウレギュレータは、例えば、特許文献１及び特許文献２に開示されており、長手方向がガラスの昇降方向と合致するように配置されたガイドレールと、正逆両方向に回転可能なモータとモータにより回転駆動されるドラムとを含んで構成されたワイヤ駆動装置（或いは、ケーブル駆動装置）と、ガイドレールに案内されて昇降すると共にウインドウガラスに固着されたスライダベース（或いはキャリアプレート）と、ガイドレールの上端側に軸支されたプーリ（定滑車）と、ガイドレールの下端側に軸支されたプーリ（定滑車）と、ドラムに巻回されると共に上側のプーリ及び下側のプーリに巻き掛けられ、スライダベースを牽引するワイヤとを有し、モータによりドラムを回転させることにより、ワイヤを介してスライダベースをガイドレールの長手方向に移動させ、ウインドウガラスを昇降させるものである。また、特許文献１及び特許文献２に開示されているワイヤドラム式のウインドウレギュレータでは、ワイヤ駆動装置がガイドレールの中間部の側方に配置されており、ガイドレール及びワイヤ駆動装置はサイドビーム或いはドアインナパネルに取り付けられている。
【０００３】
また、ワイヤ駆動装置がガイドレールの中間部の側方に配置されているワイヤドラム式のウインドウレギュレータにおいて、ウインドウガラスの上昇時及び下降時のワイヤの弛みを除去する技術が、例えば、特許文献３や特許文献４に開示されている。
【０００４】
特許文献３に記載のものは、端側部がワイヤのドラムより上方の部分及び下方の部分に同時に摺擦係合する第１のアーム及び第２のアームを有すると共に、これら第１のアーム及び第２のアームの基部に設けた支軸を中心に揺動するワイヤガイド部材をベースプレートに設置したものである。
【０００５】
特許文献４に記載のものは、モジュールベースに取り付けられて、回転駆動されるドラム部材を有する駆動部と、ドラム部材に巻回されて、端部がケーブルガイドを通して移動部材に連結されるケーブル部材と、モジュールベースに一体的に形成されて、ケーブルガイドと駆動部との間におけるケーブル部材の部位を保持し、かつ弾性復元力によってケーブル部材を緊張させる方向に付勢する弾性突出部とを備え、弾性突出部に、前記ケーブル部材を弾性的に保持する保持部を一体的に形成し、弾性突出部は、湾曲の度合いを大きくする方向にケーブル部材の部位を付勢するものである。
【先行技術文献】
【特許文献】
【０００６】
【特許文献１】特許平６−１７３５２３号公報
【特許文献２】特開２００８−１９６２０４号公報
【特許文献３】特開２００２−２６６５５３号公報
【特許文献４】特開２００５−２３５９９号公報
【発明の概要】
【発明が解決しようとする課題】
【０００７】
このようなワイヤドラム式のウインドウレギュレータでは、ドラムの回転方向に応じて、上下のケーブルのいずれか一方が引っ張られつつ、他方が繰り出されて緩められることにより、キャリアプレートがウインドウガラスと共に上方または下方に移動する。例えば、キャリアプレートを上方に移動させるときには、上側のケーブルがドラムの巻取り力とウインドウガラスの重量によって引っ張られて緊張し、かつ下側のケーブルが緩められる。逆に、キャリアプレートを下方に移動させるときには、下側のケーブルが引っ張られて緊張し、かつ上側のケーブルが緩められることになる。従って、ワイヤの緩みを除去し、ワイヤを十分に緊張させることが必要となる。
【０００８】
特許文献１及び特許文献２のワイヤドラム式のウインドウレギュレータのように、ガイドレールは、ドアパネル（ドアインナパネル及びドアアウタパネルからなる）の湾曲面に沿うように（又は、湾曲したウインドウガラスをガイドするために）、側面視において長手方向において弓状に湾曲した形状とされている。
【０００９】
特許文献２に記載されたワイヤドラム式のウインドウレギュレータのように、長手方向に湾曲したガイドレールの上端側に軸支されたワイヤ方向変換用プーリと、ガイドレールの下端側近傍に配置されたワイヤ方向変換部材との間にワイヤが掛け回された構造のものとすると、キャリアプレートに固定されていない側のワイヤをガイドレールの側方を経由させることになる。この場合、キャリアプレートを上方に移動させる場合、キャリアプレートを下方に移動させる場合の両方において、ワイヤが引っ張られることにより、キャリアプレートに固定されていない側のワイヤが、ガイドレールの側方でワイヤ方向変換用プーリとワイヤ方向変換部材との間で直線状になろうとするため、すなわち、ガイドレールの側方から後方に向けて離れようとするため、ワイヤ方向変換用プーリ或いはワイヤ方向変換部材からワイヤが外れてしまう虞がある。従って、キャリアプレートに固定されていない側のワイヤをガイドレールの側方に確実にガイドする必要がある。
【００１０】
特許文献２に記載されたワイヤドラム式のウインドウレギュレータでは、ワイヤを湾曲させて移動自在にガイドするアウタチューブ、ガイドレールの途中に設けられるブラケット、方向転換部材ないしその近辺またはブラケットに保持されているアウターケーシングの端部を、配索長さを長くする方向に付勢する付勢手段（伸び取り機構）とを設けており、ワイヤ張力を与えるため機構が複雑で大がかりなものとなる。
【００１１】
そこで、本発明は、上述の従来技術の不具合を解消することを課題とするものであり、簡単な構造で、キャリアプレートに固定されていない側のワイヤをガイドレールの側方に確実にガイドできるワイヤドラム式のウインドウレギュレータを提供することを目的とする。
【課題を解決するための手段】
【００１２】
請求項１に係るワイヤドラム式のウインドウレギュレータは、長手方向に湾曲したガイドレールの上端側に軸支されたワイヤ方向変換用プーリと、前記ガイドレールの下端側近傍に配置されたワイヤ方向変換部材と、前記ワイヤ方向変換用プーリと前記ワイヤ方向変換部材との間に配置された２本のワイヤと、一方のワイヤに固定されると共に前記ガイドレールの長手方向に移動自在に設けられたキャリアプレートと、前記ワイヤを前記ガイドレールに沿って牽引するワイヤ駆動装置とを有し、前記ワイヤ駆動装置による駆動に伴って前記キャリアプレートに支持されたウインドウガラスを昇降させるものであって、上記課題を解決するために、前記ガイドレールの側方に支持板を突設し、前記支持板の先端部に前記ガイドレールの湾曲面の凸方向に沿う方向に開口するワイヤガイド溝を備えたワイヤガイド部材を設けたことを特徴とする。
【００１３】
請求項２に係るワイヤドラム式のウインドウレギュレータは、請求項１に係るワイヤドラム式のウインドウレギュレータにおいて、前記ワイヤガイド部材は、下面の中央に設けられた係合突起と、前記下面の両側にそれぞれ設けられた回転止め用突起とを備え、前記係合突起及び前記回転止め用突起のそれぞれは、前記支持板に設けられた係止孔及び受け孔に嵌合されたことを特徴とするものである。
【００１４】
請求項３に係るワイヤドラム式のウインドウレギュレータは、請求項１又は２に係るワイヤドラム式のウインドウレギュレータにおいて、前記ガイドレールは、その底壁の一側に該底壁に対して所定の段差によって前方に張り出した凸壁が形成され、前記ガイドレールの前記凸壁の裏面に前記支持板の基端部が固定され、前記ガイドレールの前記底壁の裏面と前記支持板の裏面とが面一とされたことを特徴とするものである。
【００１５】
請求項４に係るワイヤドラム式のウインドウレギュレータは、請求項３に係るワイヤドラム式のウインドウレギュレータにおいて、前記ガイドレールの凸壁に対面して配置される前記キャリアプレートの下面一側に、前記凸壁に摺接する摺動突起が設けられたことを特徴とするものである。
【発明の効果】
【００１６】
請求項１に係るワイヤドラム式のウインドウレギュレータによれば、キャリアプレートを上方に移動させる場合、キャリアプレートを下方に移動させる場合の両方において、ワイヤが引っ張られることにより、キャリアプレートに固定されていない他方のワイヤが、ガイドレールの側方でワイヤ方向変換用プーリとワイヤ方向変換部材との間で直線状になろうとして、ワイヤガイド部材のワイヤガイド溝に向けて押圧されるので、ワイヤをガイドレールの側方に確実にガイドすることができる。また、簡単な構造で、ワイヤをガイドレールの側方にガイドすることができる。
【００１７】
請求項２に係るワイヤドラム式のウインドウレギュレータによれば、ワイヤガイド部材をガイドレールの側方に張り出して配置した支持板上に安定して取り付けることができ、ワイヤガイド部材が回り止めされているため、ワイヤの移動動作によってワイヤガイド部材がふらつくことがなく、ワイヤの移動動作が安定する。
【００１８】
請求項３に係るワイヤドラム式のウインドウレギュレータによれば、ガイドレールの底壁に対して所定の段差によって前方に張り出した凸壁を設け、ガイドレールの凸壁の裏面に支持板の基端部が固定され、ガイドレールの底壁の裏面と支持板の裏面とが面一とされたことにより、支持板がガイドレールの裏面から車体の内方に向けて突出しないため、ドアインナパネル側の配設スペースが確保できる。
【００１９】
請求項４に係るワイヤドラム式のウインドウレギュレータによれば、キャリアプレートの下面一側に設けられた摺動突起がガイドレールの凸壁に摺接されることで、キャリアプレートがガイドレールに対して移動する際、キャリアプレートとガイドレールとの間隔を一定に保つことができ、キャリアプレートの姿勢が安定すると共にキャリアプレートの移動が容易になる。
【図面の簡単な説明】
【００２０】
【図１】本発明の実施形態に係るワイヤドラム式のウインドウレギュレータを図示しないドアの外側から示す正面図である。
【図２】図１のウインドウレギュレータの側面図である。
【図３】図１の要部を拡大して示す正面図である。
【図４】図３の要部断面図である。
【図５】支持板及びワイヤガイド部材を斜め正面側から眺めて示す斜視図である。
【図６】支持板及びワイヤガイド部材を斜め裏面側から眺めて示す斜視図である。
【図７】支持板及びワイヤガイド部材を分解して示す斜視図である。
【図８】図１のウインドウレギュレータの要部を拡大して示す断面図である。
【図９】ワイヤ方向変換ガイド（方向変換部材）の拡大正面図である。
【図１０】図９のワイヤ方向変換ガイドの斜視図である。
【図１１】図９のワイヤ方向変換ガイドの平面図である。
【図１２】図９のワイヤ方向変換ガイドの底面図である。
【図１３】図９のワイヤ方向変換ガイドの左側面図（ａ）及び右側面図（ｂ）である。
【発明を実施するための形態】
【００２１】
以下、本発明の実施の形態を図面を参照して説明する。図１は本発明の実施形態に係るワイヤドラム式のウインドウレギュレータを図示しないドアの外側から示す正面図であり、図２は図１のワイヤドラム式のウインドウレギュレータの側面図である。なお、図２において、左手側がドアインナパネル側（図示せず）であり、右手側がドアアウタパネル側（図示せず）である。
【００２２】
図１、２において、本実施形態のワイヤドラム式のウインドウレギュレータ１は、車両用のウインドウガラス２を昇降させるものであり、長手方向がウインドウガラス２の昇降方向と合致するように配置されたガイドレール３と、ガイドレール３の上端部に軸支されたワイヤ４の方向変換用のプーリ５と、ガイドレール３の下端側近傍に配設されたワイヤ４のワイヤ方向変換部材としてのワイヤ方向変換ガイド６と、正逆両方向に回転可能なモータ８とモータ８により回転駆動されるドラム９とからなるワイヤ駆動装置７と、ガイドレール３に案内されて昇降すると共にウインドウガラス２を保持するキャリアプレート１０とを備える。
【００２３】
図２に示すように、ガイドレール３は、ドアパネル（ドアインナパネル及びドアアウタパネルからなる）の湾曲面に沿うように、長手方向において車体の外方に向けて凸となる弓状に湾曲した形状とされている。図１はガイドレール３の凸面側から見た状態を示している。図１に示すように、ワイヤ方向変換用のプーリ５とワイヤ方向変換ガイド６との間には、２本のワイヤ４ａ、４ｂが所定の間隔を開けてガイドレール３の長手方向に沿って配置され、一方のワイヤ４ａはガイドレール３の前方に配置され、ワイヤ４ａの中間にはキャリアプレート１０が固定され、キャリアプレート１０に固定されていない他方のワイヤ４ｂはガイドレール３の一側方に沿って配置されている。
【００２４】
図１に示すように、ガイドレール３の上端には上端プレート１２が、例えば、溶接により固定され、プーリ５は上端プレート１２の前方に配置される。上端プレート１２の両側には、ガイドレール３の上端部の両側方に向けてそれぞれ折曲した脚片１３、１３が形成され、ガイドレール３の上端部は脚片１３、１３を介してドアアウタパネル（図示せず）に取り付けられる。
【００２５】
図３は図１の要部を拡大して示す正面図であり、図４は図３の要部断面図である。図１、図３に示すように、ガイドレール３の長手方向の中間部の一側には、側方に張り出して支持板１４が取り付けられ、支持板１４の前面先端側にはワイヤガイド部材１５が設けられ、ワイヤガイド部材１５の前面には、ガイドレール３の長手方向に沿って前方に（ガイドレール３の湾曲面の凸方向に沿う方向に）開口されたワイヤガイド溝１６が設けられ、ワイヤガイド溝１６には、ドラム９から繰り出された他方のワイヤ４ｂが挿入されてガイドされている。
【００２６】
以上の構成により、キャリアプレート１０を上方に移動させる場合、キャリアプレート１０を下方に移動させる場合の両方において、ワイヤ４ｂが引っ張られることにより、キャリアプレート１０に固定されていない他方のワイヤ４ｂが、ガイドレール３の側方でワイヤ方向変換用のプーリ５とワイヤ方向変換ガイド６との間で直線状になろうとして、ワイヤガイド部材１５のワイヤガイド溝１６に向けて押圧されるので、ワイヤ４ｂをガイドレール３の側方に確実にガイドすることができる。また、簡単な構造で、ワイヤ４ｂをガイドレール３の側方にガイドすることができる。
【００２７】
図５は支持板１４及びワイヤガイド部材１５を斜め正面側から眺めて示す斜視図であり、図６は支持板１４及びワイヤガイド部材１５を斜め裏面側から眺めて示す斜視図であり、図７は支持板１４及びワイヤガイド部材１５を分解して示す斜視図である。ワイヤガイド部材１５は、下面の中央に設けられた係合突起３４と、下面の両側にそれぞれ設けられた回転止め用突起３５、３５とを備えている。係合突起３４は、その軸線に直交する径方向の内外に弾性変形復帰可能な複数の（４つの）係止爪３６を備えている。
【００２８】
また、図７に示すように、支持板１４の先端部の中央には係止孔３７が設けられ、ガイドレール３の長手方向に沿って係止孔３７を中央に挟む位置に受け孔３８、３８がそれぞれ設けられている。ワイヤガイド部材１５の係合突起３４及び回転止め用突起３５、３５のそれぞれは、支持板１４に設けられた係止孔３７及び受け孔３８、３８に上方から押し込み嵌合される（図１１参照）。支持板１４の裏面において、係合突起３４の複数の係止爪３６が係止孔３７の周縁に引っ掛り、ワイヤガイド部材１５が抜け止めされる。
【００２９】
回転止め用突起３５、３５の受け孔３８、３８への嵌合により係合突起３４の回りの回転止めがなされるので、ワイヤガイド部材１５をガイドレール３の側方に張り出して配置した支持板１４上に安定して取り付けることができ、ワイヤガイド部材１５が回り止めされているためワイヤ４ｂの移動動作によってワイヤガイド部材１５がふらつくことがなく、ワイヤ４ｂの移動動作が安定する。
【００３０】
図４に示すように、ガイドレール３の幅方向の中央には底壁３９が形成され、底壁３９の一側には底壁３９に対して所定寸法の段差を形成する段差部４０によって前方（車体の外方）に張り出した凸壁４１が形成され、底壁３９の他側縁と凸壁４１の一側縁とには、車体の外方に向って折曲した側壁４２、４３がそれぞれ形成されると共に、側壁４２の端縁には車体の前方に向かって張り出したガイドフランジ１７が形成され、側壁４３の端縁には車体の後方に向かって張り出したガイドフランジ１７が形成されている。
【００３１】
ガイドレール３の凸壁４１の裏面には支持板１４の基端部が、例えば、溶接により固定されている。図４に示すように、支持板１４の基端部の厚み寸法が、ガイドレール３の底壁３９と凸壁４１との段差と同じとされており、ガイドレール３の底壁３９の裏面と支持板１４の裏面とが面一とされていることにより、支持板１４がガイドレール３の裏面から車体の内方に向けて突出しないため、ドアインナパネル側の配設スペースが確保できる。
【００３２】
なお、図４に示すように、支持板１４の先端部も同様に、基端部に対して所定寸法の段差を形成する段差部４４によって前方（車体の外方）に張り出しており、支持板１４の裏面に突出した係合突起３４の複数の係止爪３６が、ガイドレール３の裏面から車体の内方に向けて突出しない構成となっている。
【００３３】
図１において、ガイドレール３の前方にはキャリアプレート１０が配置され、ガイドフランジ１７、１７にはキャリアプレート１０の中間部分がガイドレール３の長手方向に移動自在に係合されている。本実施形態では、キャリアプレート１０は中央部を構成する樹脂製のキャリッジ４５と、主として両側部を構成する金属製のプレート４６とで構成されている。
【００３４】
図８は図１のウインドウレギュレータの要部を拡大して示す断面図である。なお、図８においてはキャリアプレート１０のプレート４６は図示を省略している。ガイドレール３の凸壁４１に対面して配置されるキャリアプレート１０のキャリッジ４５の下面一側には、凸壁４１に摺接する摺動突起４７が設けられている。図示していないが、実施形態では、摺動突起４７は、キャリッジ４５の上下方向の中央部に、キャリアプレート１０の移動方向に沿って長円形状に形成されている。
【００３５】
キャリアプレート１０のキャリッジ４５の下面一側に設けられた摺動突起４７がガイドレール３の凸壁４１に摺接されることで、キャリアプレート１０がガイドレール３に対して移動する際、キャリアプレート１０とガイドレール３との間隔を一定に保つことができ、キャリアプレート１０の姿勢が安定すると共にキャリアプレート１０の移動が容易になる。
【００３６】
図１に示すように、キャリアプレート１０の両側には、ガイドレール３の左右両側方においてガイドレール３の裏面よりも後方に延伸され、さらに、ガイドレール３の左右両側方に向けてそれぞれ先端を折曲されると共に上方に延伸された支持アーム片１８、１８が形成され、支持アーム片１８、１８の上端にはガラスホルダ１９、１９がそれぞれ固定され、ガラスホルダ１９、１９にはウインドウガラス２の下端が嵌合されて支持され、図２に示すように、ウインドウガラス２はガイドレール３よりもドアインナパネル側に配置されている。
【００３７】
図１に示すように、ガイドレール３の長手方向の下端部には、下端及び一側を切り欠いた切欠部２０が設けられ、ガイドレール３の下端部の裏面には、取付用ベース１１が、例えば、溶接により固定されている。取付用ベース１１は、ガイドレール３の下端に一端が固定されると共に、他端がガイドレール３の下端から一側方に向けて延伸されている。取付用ベース１１の一端部には、ガイドレール３の下端の切欠部２０に臨む位置にワイヤ方向変換ガイド６が配設されると共に、取付用ベース１１の他端部にモータ８及びドラム９よりなるワイヤ駆動装置７が配設されている。
【００３８】
図２に示すように、モータ８はブラケット（図示せず）を介して取付用ベース１１の他端部裏面に取り付けられ、ドラム９はドラムブラケット２１を介して取付用ベース１１の他端部前面に取り付けられている。取付用ベース１１の一端には、ガイドレール３の下端部の左側においてガイドレール３の裏面よりも後方に延伸され、さらに、ガイドレール３の左側方に向けて先端を折曲された脚片２２が形成され、取付用ベース１１の他端には、ガイドレール３のガイドレール３の裏面よりも後方に延伸され、さらに、ガイドレール３の右側方に向けて先端を折曲された脚片２３、２３が形成され、取付用ベース１１は、脚片２２、２３、２３を介してドアインナパネル（図示せず）に取り付けられる。
【００３９】
図９はワイヤ方向変換ガイド６の拡大正面図であり、図１０は図９のワイヤ方向変換ガイド６の斜視図であり、図１１は図９のワイヤ方向変換ガイド６の平面図であり、図１２は図９のワイヤ方向変換ガイド６の底面図であり、図１３は図９のワイヤ方向変換ガイド６の左側面図（ａ）及び右側面図（ｂ）である。
【００４０】
ワイヤ方向変換ガイド６は、合成樹脂製よりなり、正面中央部には前後方向に向けて挿通孔２４が設けられ（図９参照）、上面の中央寄りと一側（図１０左側）とにそれぞれワイヤ挿通口２５、２６が設けられている（図１０参照）。
【００４１】
図１２に示すように、ワイヤ方向変換ガイド６の底面には、中央寄りに形成されたワイヤ挿通口２５に連通してガイドレール３の側方をガイドレール３の長手方向に沿って移動する他方のワイヤ４ｂの移動方向を側方に配設されたドラム９へと変向する厚み方向における上側の円弧状の方向変換ガイド溝２７が設けられ、一側に形成されたワイヤ挿通口２６に連通してガイドレール３の前方をガイドレール３の長手方向に沿って移動する一方のワイヤ４ａの移動方向を側方に配設されたドラム９へと変向する厚み方向における下側の円弧状の方向変換ガイド溝２８が設けられている。
【００４２】
また、ワイヤ方向変換ガイド６の底面の一側の中央部と底面の他側の中央部とにそれぞれ下方に向けて突出された回転止め用突起２９、３０がそれぞれ設けられ（図１１、図１２、図１３参照）、正面の下端の他側に、基端を他側方に向けて延伸されて先端を下方に向けて折曲形成された当接折曲片３１が設けられている［図１０、図１２、図１３（ａ）参照］。
【００４３】
ワイヤ４は、ドラム９の外周に形成された螺旋溝（図示せず、従来と同様）に巻回されると共にドラム９から繰り出された他方のワイヤ４ｂがワイヤ方向変換ガイド６の上側の方向変換ガイド溝２７に挿入されて巻き掛けられ、ワイヤ挿通口２５を通じて上方に変向され（図９〜図１２）、さらに、ワイヤガイド部材１５のワイヤガイド溝１６に挿入されてぶれ止めされ、プーリ５に巻き掛けられて下方に変向されて一方のワイヤ４ａとなり、ワイヤ４ａの一端がキャリアプレート１０に固定されている（図１参照）。
【００４４】
また、ドラム９から繰り出された一方のワイヤ４ａがワイヤ方向変換ガイド６の下側の方向変換ガイド溝２８に挿入されて巻き掛けられ、ワイヤ挿通口２６を通じて上方に変向され（図９〜図１２）、ワイヤ４ａの他端がキャリアプレート１０に固定されている（図１参照）。
【００４５】
ワイヤ方向変換ガイド６は、取付用ベース１１の上面に配置され、回転止め用突起２９、３０が取付用ベース１１に形成された係合部（図示せず）に係合されることにより回転止めがなされ、さらに、正面の下端の他側に折曲形成された当接折曲片３１の側面が、ガイドレール３の切欠部２０に沿って取付用ベース１１に形成された立上り壁３２に当接されて位置決めされる。さらに、ワイヤ方向変換ガイド６は、挿通孔２４に挿通されたピン３３を介して取付用ベース１１にカシメ止めされる。
【００４６】
ウインドウレギュレータ１は、従来と同様、モータ８によりドラム９を回転させることにより、ワイヤ４を介してキャリアプレート１０をガイドレール３の長手方向に移動させ、ウインドウガラス２を昇降させるものである。
【００４７】
実施形態のワイヤドラム式のウインドウレギュレータ１によると、ドラム９とモータ８とからなるワイヤ駆動装置７が、ガイドレール３の下端に一端が固定されると共にガイドレール３の下端から側方に向けて延伸された取付用ベース１１の他端に配設されているので、ワイヤ駆動装置７が車室内に向けて張り出すことがなく、車室内スペースが狭くなってしまう難点を解消できる。
【００４８】
また、ワイヤ駆動装置７の配設位置がガイドレール３の下端に対して離間して配置されるので、キャリアプレート１０の下降動作の障害にならず、キャリアプレート１０をガイドレール３の下端まで下げることができる（図８参照の二点鎖線）。よって、ウインドウガラス２の昇降ストロークに合うようにガイドレール３の上下寸法を長くとる必要がない。
【００４９】
さらに、取付用ベース１１の一端部にガイドレール３の下端に臨ませてワイヤ方向変換ガイド６が配設された構成としたので、ワイヤ駆動装置７の配設位置を任意に設定することが可能となり、ワイヤ駆動装置７のドア下端の配置スペースの確保が容易に行え、モータ８のレイアウトの自由度が広がる。
【００５０】
ワイヤ方向変換ガイド６は、ガイドレール３の長手方向に沿って移動する２本のワイヤ４ａ、４ｂの移動方向を側方に配設されたドラム９へとそれぞれ変向する厚み方向における上下の方向変換ガイド溝２７、２８を備えた構成により、２本のワイヤ４ａ、４ｂの移動方向を別々の方向変換部材を設けてそれぞれ行う必要がなく、１つのワイヤ方向変換ガイド６のみで２本のワイヤ４ａ、４ｂの移動方向を変向することができるので、部品点数を削減でき、組み立てに要する時間も短くて済む。
【００５１】
また、ワイヤ方向変換ガイド６が、中央部に設けられた挿通孔２４と、下方に向けて突出された回転止め用突起２９、３０とを有し、ワイヤ方向変換ガイド６が取付用ベース１１の上面に配置され、挿通孔２４に挿通されたピン３３を介して取付用ベース１１にカシメ止めされると共に、回転止め用突起２９、３０の取付用ベース１１への係合によりピン回りの回転止めがなされるので、ワイヤ方向変換ガイド６を取付用ベース１１の上面に安定して取り付けることができ、ワイヤ４ａ、４ｂの移動動作によりワイヤ方向変換ガイド６がピン回りにふらつくことがなく、ワイヤ４ａ、４ｂの移動動作が安定する。
【符号の説明】
【００５２】
１  ウインドウレギュレータ
２  ウインドウガラス
３  ガイドレール
４  ワイヤ
５  プーリ
６  ワイヤ方向変換ガイド
７  ワイヤ駆動装置
８  モータ
９  ドラム
１０  キャリアプレート
１１  取付用ベース
１２  上端プレート
１３  脚片
１４  支持板
１５  ワイヤガイド部材
１６  ワイヤガイド溝
１７  ガイドフランジ
１８  支持アーム片
１９  ガラスホルダ
２０  切欠部
２１  ドラムブラケット
２２  脚片
２３  脚片
２４  挿通孔
２５  ワイヤ挿通口
２６  ワイヤ挿通口
２７  方向変換ガイド溝
２８  方向変換ガイド溝
２９  回転止め用突起
３０  回転止め用突起
３１  当接折曲片
３２  立上り壁
３３  ピン
３４  係合突起
３５  回転止め用突起
３６  係止爪
３７  係止孔
３８  受け孔
３９  底壁
４０  段差部
４１  凸壁
４２  側壁
４３  側壁
４４  段差部
４５  キャリッジ
４６  プレート
４７  摺動突起
【図１】
2011069059.tif 000003
【図２】
2011069059.tif 000004
【図３】
2011069059.tif 000005
【図４】
2011069059.tif 000006
【図５】
2011069059.tif 000007
【図６】
2011069059.tif 000008
【図７】
2011069059.tif 000009
【図８】
2011069059.tif 000010
【図９】
2011069059.tif 000011
【図１０】
2011069059.tif 000012
【図１１】
2011069059.tif 000013
【図１２】
2011069059.tif 000014
【図１３】
2011069059.tif 000015